【手続補正書】
【提出日】平成28年12月2日(2016.12.2)
【手続補正１】
【補正対象書類名】明細書
【補正対象項目名】００８４
【補正方法】変更
【補正の内容】
【００８４】
【表３】
2016501942.tif 000001
本発明の実施態様の一部を以下の項目［１］−［２２］に記載する。
［項目１］
縮合硬化性混合物の反応生成物を含むゲル組成物であって、該縮合硬化性混合物は、
少なくとも２つのヒドロキシル基を含む０．５〜４５重量％のシリコーン樹脂と、
９９．５〜５５重量％の少なくとも１つのシラノール末端シロキサン流体と、
アミノ基を含む共硬化性化合物と、を含み、前記縮合硬化性混合物は室温で硬化可能である、ゲル組成物。
［項目２］
前記アミノ基を含む共硬化性化合物は、以下の一般構造：
Ｒ６２−ｘＲ７ｘＮ−Ｇ−Ｓｉ（ＯＲ８）ｙＲ９３−ｙ
（式中、Ｒ６及びＲ７は、各々独立して、水素原子、アルキル基、アリール基、ヘテロアルキル基、ヘテロアリール基、又はアラルキル基を含み；
ｘは、０、１、又は２の整数であり；
Ｇは二価の結合基であり、
Ｒ８は、各々独立して、アルキル基、アリール基、ヘテロアルキル基、ヘテロアリール基、又はアラルキル基であり；
Ｒ９は、各々独立して、アルキル基、アリール基、ヘテロアルキル基、ヘテロアリール基、又はアラルキル基であり；
ｙは、１、２、又は３の整数である）を有する、項目１に記載のゲル組成物。
［項目３］
Ｇは、以下の一般構造：
（−ＣＨ２−）ａ
（式中、ａは１〜１８の整数である）を有する二価のアルキレン基である、項目２に記載のゲル組成物。
［項目４］
少なくとも１つの非反応性シロキサン流体を更に含む、項目１に記載のゲル組成物。
［項目５］
前記ゲル組成物がシーラントを構成する、項目１に記載のゲル組成物。
［項目６］
前記ゲル組成物が接着層を構成する、項目１に記載のゲル組成物。
［項目７］
前記ゲル組成物は、少なくとも０．５重量％の抽出可能なシロキサン流体を含む、項目１に記載のゲル組成物。
［項目８］
基材と、
前記基材の少なくとも１つの主表面上の少なくとも一部分に配置される粘着性ゲルの層と、を含む物品であって、前記粘着性ゲルは縮合硬化性混合物の反応生成物を含み、該縮合硬化性混合物が、
少なくとも２つのヒドロキシル基を含む０．５〜４５重量％のシリコーン樹脂と、
９９．５〜５５重量％の少なくとも１つのシラノール末端シロキサン流体と、
アミノ基を含む共硬化性化合物と、を含み、前記縮合硬化性混合物は室温で硬化可能である、物品。
［項目９］
アミノ基を含む共硬化性化合物は、以下の一般構造：
Ｒ６２−ｘＲ７ｘＮ−Ｇ−Ｓｉ（ＯＲ８）ｙＲ９３−ｙ
（式中、Ｒ６及びＲ７は、各々独立して、水素原子、アルキル基、アリール基、ヘテロアルキル基、ヘテロアリール基、又はアラルキル基を含み；
ｘは、０、１、又は２の整数であり；
Ｇは二価の結合基であり；
Ｒ８は、各々独立して、アルキル基、アリール基、ヘテロアルキル基、ヘテロアリール基、又はアラルキル基であり；
Ｒ９は、各々独立して、アルキル基、アリール基、ヘテロアルキル基、ヘテロアリール基、又はアラルキル基であり；
ｙは、１、２、又は３の整数である）を有する、項目８に記載の物品。
［項目１０］
Ｇは、以下の一般構造：
（−ＣＨ２−）ａ
（式中、ａは１〜１８の整数である）を有する二価のアルキレン基である、項目９に記載の物品。
［項目１１］
前記粘着性ゲルは、少なくとも１つの非反応性シロキサン流体を更に含む、項目８に記載の物品。
［項目１２］
前記基材は、剥離ライナー又は医療用基材を構成する、項目８に記載の物品。
［項目１３］
前記縮合硬化性混合物の反応生成物は、紫外線、ガンマ線、又は電子ビームで露光されている、項目８に記載の物品。
［項目１４］
少なくとも２つのヒドロキシル基を含む０．５〜４５重量％のシリコーン樹脂と、
９９．５〜５５重量％の少なくとも１つのシラノール末端シロキサン流体と、
アミノ基を含む共硬化性化合物と、を含み、室温で硬化可能である縮合硬化性ゲル前駆体組成物を提供する工程と、
前記縮合硬化性ゲル前駆体組成物を基材に塗布する工程と、
前記縮合硬化性ゲル前駆体組成物を室温で硬化させて、ゲルを形成する工程と、を含む、医療用物品の作製方法。
［項目１５］
縮合硬化性ゲル前駆体組成物を提供する工程は、２成分混合物を一緒に混合する工程を含み、前記２成分混合物は、
（１）少なくとも２つのヒドロキシル基を含む０．５〜４５重量％のシリコーン樹脂、及び
９９．５〜５５重量％の少なくとも１つのシラノール末端シロキサン流体と、
（２）アミノ基を含む共硬化性化合物と、を含み、（１）及び（２）は、混合前は互いに物理的に分離されている、項目１４に記載の方法。
［項目１６］
前記ゲルはシーラントを構成する、項目１５に記載の方法。
［項目１７］
前記ゲルは接着剤を構成する、項目１４に記載の方法。
［項目１８］
前記基材は剥離ライナー又は医療用基材を構成する、項目１７に記載の方法。
［項目１９］
前記基材は剥離ライナーを構成し、ゲルを第２基材又は表面に積層する工程を更に含む、項目１８に記載の方法。
［項目２０］
前記アミノ基を含む共硬化性化合物は、以下の一般構造：
Ｒ６２−ｘＲ７ｘＮ−Ｇ−Ｓｉ（ＯＲ８）ｙＲ９３−ｙ
（式中、Ｒ６及びＲ７は、各々独立して、水素原子、アルキル基、アリール基、ヘテロアルキル基、ヘテロアリール基、又はアラルキル基を含み；
ｘは、０、１、又は２の整数であり；
Ｇは二価の結合基であり、
Ｒ８は、各々独立して、アルキル基、アリール基、ヘテロアルキル基、ヘテロアリール基、又はアラルキル基であり；
Ｒ９は、各々独立して、アルキル基、アリール基、ヘテロアルキル基、ヘテロアリール基、又はアラルキル基であり；
ｙは、１、２、又は３の整数である）を有する、項目１４に記載のゲル組成物。
［項目２１］
前記粘着性ゲルは、少なくとも１つの非反応性シロキサン流体を更に含む、項目１４に記載の方法。
［項目２２］
前記縮合硬化性ゲル前駆体組成物を紫外線、ガンマ線、又は電子ビームで露光する工程を更に含む、項目１４に記載の方法。
【手続補正２】
【補正対象書類名】特許請求の範囲
【補正対象項目名】全文
【補正方法】変更
【補正の内容】
【特許請求の範囲】
【請求項１】
縮合硬化性混合物の反応生成物を含むゲル組成物であって、該縮合硬化性混合物は、
少なくとも２つのヒドロキシル基を含む０．５〜４５重量％のシリコーン樹脂と、
９９．５〜５５重量％の少なくとも１つのシラノール末端シロキサン流体と、
アミノ基を含む共硬化性化合物と、を含み、前記縮合硬化性混合物は室温で硬化可能である、ゲル組成物。
【請求項２】
前記アミノ基を含む共硬化性化合物は、以下の一般構造：
Ｒ６２−ｘＲ７ｘＮ−Ｇ−Ｓｉ（ＯＲ８）ｙＲ９３−ｙ
（式中、Ｒ６及びＲ７は、各々独立して、水素原子、アルキル基、アリール基、ヘテロアルキル基、ヘテロアリール基、又はアラルキル基を含み；
ｘは、０、１、又は２の整数であり；
Ｇは二価の結合基であり、
Ｒ８は、各々独立して、アルキル基、アリール基、ヘテロアルキル基、ヘテロアリール基、又はアラルキル基であり；
Ｒ９は、各々独立して、アルキル基、アリール基、ヘテロアルキル基、ヘテロアリール基、又はアラルキル基であり；
ｙは、１、２、又は３の整数である）を有する、請求項１に記載のゲル組成物。
【請求項３】
少なくとも１つの非反応性シロキサン流体を更に含む、請求項１に記載のゲル組成物。
【請求項４】
基材と、
前記基材の少なくとも１つの主表面上の少なくとも一部分に配置される粘着性ゲルの層と、を含む物品であって、前記粘着性ゲルは縮合硬化性混合物の反応生成物を含み、該縮合硬化性混合物が、
少なくとも２つのヒドロキシル基を含む０．５〜４５重量％のシリコーン樹脂と、
９９．５〜５５重量％の少なくとも１つのシラノール末端シロキサン流体と、
アミノ基を含む共硬化性化合物と、を含み、前記縮合硬化性混合物は室温で硬化可能である、物品。
【請求項５】
少なくとも２つのヒドロキシル基を含む０．５〜４５重量％のシリコーン樹脂と、
９９．５〜５５重量％の少なくとも１つのシラノール末端シロキサン流体と、
アミノ基を含む共硬化性化合物と、を含み、室温で硬化可能である縮合硬化性ゲル前駆体組成物を提供する工程と、
前記縮合硬化性ゲル前駆体組成物を基材に塗布する工程と、
前記縮合硬化性ゲル前駆体組成物を室温で硬化させて、ゲルを形成する工程と、を含む、医療用物品の作製方法。